(57)【要約】【課題】  アンカーボルト付基礎構造において、アンカーボルト及び補強プレートのセット高さ位置を簡易に調整可能にし、かつコンクリート打設時に補強プレートを微妙に高さ調整可能にすること。【解決手段】  アンカーボルト付基礎構造の施工用治具５０であって、アンカープレート６０と、該アンカープレート６０に設けられる補強プレート調整用ねじ８０とを有し、アンカープレート６０は対向する型枠３０の上部に保持され、アンカーボルト２５の上端部を保持し、補強プレート調整用ねじ８０は補強プレート２６に衝合し、アンカープレートト６０に対する補強プレート２６の高さ位置を調整するもの。【選択図】  図９
2008255724.tif 000002
【特許請求の範囲】
【請求項１】
アンカーボルトの中間部に設けた補強プレートをコンクリート基礎の上部に埋設固定してなるアンカーボルト付基礎構造の施工用治具であって、
アンカープレートと、該アンカープレートに設けられる補強プレート調整用ねじとを有し、
アンカープレートは対向する型枠の上部に保持され、アンカーボルトの上端部を保持し、
補強プレート調整用ねじは補強プレートに衝合し、アンカープレートに対する補強プレートの高さ位置を調整するアンカーボルト付基礎構造の施工用治具。
【請求項２】
前記アンカープレートが型枠の上部に保持される第１水平片と、補強プレート調整用ねじを備えた第２水平片とを有し、第１水平片から下方に折曲げた下向き折曲げ部の下端に第２水平片を設けた請求項１に記載のアンカーボルト付基礎構造の施工用治具。
【請求項３】
前記アンカープレートが型枠の上部に保持される第１水平片と、補強プレート調整用ねじを備えた第２水平片とを有し、第１水平片から上方に折曲げた上向き折曲げ部の上端に第２水平片を設けた請求項１に記載のアンカーボルト付基礎構造の施工用治具。
【請求項４】
前記アンカープレートが型枠の長手方向に沿う複数位置のそれぞれにアンカーボルト保持部を備え、各アンカーボルト保持部毎に補強プレート調整用ねじを付帯して有する請求項１〜３のいずれかに記載のアンカーボルト付基礎構造の施工用治具。
【発明の詳細な説明】
【技術分野】
【０００１】
本発明はアンカーボルト付基礎構造の施工用治具に関する。
【背景技術】
【０００２】
従来、住宅等の建物の基礎構造では、コンクリート基礎の上端部にアンカーボルトの下部を埋設固定し、アンカーボルトをコンクリート基礎の上面から突出させている。
【０００３】
特許文献１には、対向する型枠間の上部にアンカープレートを保持させ、このアンカープレートの中間部に保持させたアンカーボルトに補強プレートを固定した状態で、生コンクリートを型枠間に流し込み、この補強プレートをコンクリート基礎の上端部に埋設固定するものが開示されている。これによれば、アンカーボルトに水平方向の外力が作用しても、この外力がアンカーボルトの部分からコンクリート基礎に直接入力されずに補強プレートを介して分散して入力されることになり、コンクリート基礎のアンカーボルトに対応する角部が破壊されるのを未然に防止できる。
【特許文献１】特開2002-88775
【発明の開示】
【発明が解決しようとする課題】
【０００４】
特許文献１のアンカーボルト付基礎構造には以下の不都合がある。
(1)型枠に対するアンカープレートの高さ位置調整手段がなく、ひいては基礎に埋設固定化されるアンカーボルト及び補強プレートのセット高さ位置を簡易に調整できない。
【０００５】
(2)コンクリート打設時に、アンカーボルトに固定した補強プレートが生コンクリートの圧力によって浮き上がるのに対抗する手段がなく、補強プレートが対向する型枠間で傾くことを防止したり、微妙な高さ調整ができない。
【０００６】
本発明の課題は、アンカーボルト付基礎構造において、アンカーボルト及び補強プレートのセット高さ位置を簡易に調整可能にし、かつコンクリート打設時に補強プレートを微妙に高さ調整可能にすることにある。
【課題を解決するための手段】
【０００７】
請求項１の発明は、アンカーボルトの中間部に設けた補強プレートをコンクリート基礎の上部に埋設固定してなるアンカーボルト付基礎構造の施工用治具であって、アンカープレートと、該アンカープレートに設けられる補強プレート調整用ねじとを有し、アンカープレートは対向する型枠の上部に保持され、アンカーボルトの上端部を保持し、補強プレート調整用ねじは補強プレートに衝合し、アンカープレートに対する補強プレートの高さ位置を調整するようにしたものである。
【０００８】
請求項２の発明は、請求項１の発明において更に、前記アンカープレートが型枠の上部に保持される第１水平片と、補強プレート調整用ねじを備えた第２水平片とを有し、第１水平片から下方に折曲げた下向き折曲げ部の下端に第２水平片を設けたものである。
【０００９】
請求項３の発明は、請求項１の発明において更に、前記アンカープレートが型枠の上部に保持される第１水平片と、補強プレート調整用ねじを備えた第２水平片とを有し、第１水平片から上方に折曲げた上向き折曲げ部の上端に第２水平片を設けたものである。
【００１０】
請求項４の発明は、請求項１〜３のいずれかの発明において更に、前記アンカープレートが型枠の長手方向に沿う複数位置のそれぞれにアンカーボルト保持部を備え、各アンカーボルト保持部毎に補強プレート調整用ねじを付帯して有するようにしたものである。
【発明の効果】
【００１１】
（請求項１）
(a)アンカープレートに設けた補強プレート調整用ねじが補強プレートに衝合し、アンカープレートに対する補強プレートの高さ位置を調整する。従って、補強プレート調整用ねじは、コンクリート打設時に、アンカーボルトに固定した補強プレートが生コンクリートの圧力によって浮き上がるのに対抗し、補強プレートが対向する型枠間で傾くことを防止したり、微妙な高さ調整することができる。
【００１２】
（請求項２）
(b)アンカープレートが型枠の上部に保持される第１水平片と、補強プレート調整用ねじを備えた第２水平片とを有し、第１水平片から下方に折曲げた下向き折曲げ部の下端に第２水平片を設けた。従って、アンカープレートの第１水平片が型枠の上部に配置されたとき、第２水平片を型枠の内側下方に近づく側に配置するものになり、このアンカープレートを全高の高い大型の型枠に好適に適用にできる。
【００１３】
（請求項３）
(c)アンカープレートが型枠の上部に保持される第１水平片と、補強プレート調整用ねじを備えた第２水平片とを有し、第１水平片から上方に折曲げた上向き折曲げ部の上端に第２水平片を設けた。従って、アンカープレートの第１水平片が型枠の上部に配置されたとき、第２水平片を型枠の上方に配置するものになり、このアンカープレートを全高の低い小型の型枠に好適に適用できる。
【００１４】
（請求項４）
(d)アンカープレートが型枠の長手方向に沿う複数位置のそれぞれにアンカーボルト保持部を備え、各アンカーボルト保持部毎に補強プレート調整用ねじを付帯して有するようにした。従って、基礎の近接する複数位置にアンカーボルトを埋設固定するとき、単一のアンカープレートによりそれらのアンカーボルト及び補強プレートに対応でき、アンカープレートの使用個数を削減し、補強工数も削減できる。
【発明を実施するための最良の形態】
【００１５】
図１はアンカーボルト付基礎構造を示す断面図、図２はアンカーボルト付基礎構造を示す模式斜視図、図３はアンカーボルト付基礎構造に建物構造体を据付けた例を示す断面図、図４は施工用治具を示す平面図、図５は施工用治具を示す端面図、図６は施工用治具を示す端面図、図７は施工用治具をユニット建物に使用した位置を示す模式図、図８は施工用治具をユニット建物に使用した位置を示す模式図、図９は施工用治具を型枠にセットした状態を示す断面図、図１０は生コンクリートの流し込み状態を示す断面図、図１１は施工用治具を示す端面図、図１２は施工用治具を型枠にセットした状態を示す断面図である。
【実施例】
【００１６】
図１において、地面２０には建物に沿わせる基礎溝２１が形成され、基礎溝２１の底部に割栗を投入して搗固た割栗層２２が形成されている。この割栗層２２上にはコンクリートを打って形成したフーチング層２３が形成され、このフーチング層２３上にはコンクリート基礎２４が形成されている。このコンクリート基礎２４の上端部にはアンカーボルト２５の下部が埋設固定されて、アンカーボルト２５の上端部がコンクリート基礎２４の上面から突出させられている。このアンカーボルト２５は、図１、図２において、コンクリート基礎２４の幅方向中央から右側にずらして配置されているので、右側の角部２４ａがアンカーボルト２５に外力が矢印Ｂ方向から作用したとき、アンカーボルト２５からコンクリート基礎２４に外力が直接入力された場合には、アンカーボルト２５から受ける外力で角部２４ａが破壊されやすい傾向にある。
【００１７】
しかし、コンクリート基礎２４の上端部には、図１、図２に示したように、アンカーボルト２５に対応して補強プレート２６が埋設固定されている。このとき、アンカーボルト２５には補強プレート２６が遊挿されるとともに、上下のナット２７ａ、２７ｂが螺着され、下ナット２７ｂは補強プレート２６の下面側にてコンクリート基礎２４に埋設される。
【００１８】
補強プレート２６は、コンクリート基礎２４の上部に埋設された水平板部２６ａと、水平板部２６ａの左端と右端のそれぞれにおいて下方に向けて突設された側板部２６ｂ、２６ｃを有する。側板部２６ｃは必須とされない。側板部２６ｂは、アンカーボルトに矢印Ｂで示した外力が作用する方向と反対側の側面において、コンクリート基礎２４の上端部の側部に埋設係合している。この水平板部２６ａの上面はコンクリート基礎２４の上面と面一に形成され、側板部２６ｂ、２６ｃの外側面はコンクリート基礎２４の側面と面一に形成されている。尚、この補強プレート２６には金属プレートを用いることができるが、この場合にはコンクリート等に含まれる成分と化学反応をしない材質のものが用いられる。また、この補強プレート２６には金属以外の合成樹脂材料やその他の材料を用いることもできる。要は、アンカーボルトＢに作用する外力がアンカーボルト２４からコンクリート基礎２４に直接入力されて局部的に作用せず、この外力が分散されてコンクリート基礎２４に入力されたコンクリート基礎２４の部分的破損を防止できれば良い。
【００１９】
尚、水平板部２６ａには、アンカーボルト２５が遊挿されるボルト挿通穴２８と確認穴２９が形成されている。
【００２０】
このような構造において、アンカーボルト２５に水平方向の外力が矢印Ｂ方向から作用すると、この外力がアンカーボルト２５の部分からコンクリート基礎２４に直接入力されずに補強プレート２６を介して分散して入力されることになる。この際、アンカーボルト２５に作用する外力は、外力が作用する方向とは反対側の側板部２６ｂを介してコンクリート基礎２５に入力される。この結果、アンカーボルト２５に大きな外力が矢印Ｂ方向から入力されても、この入力によりコンクリート基礎２４のアンカーボルト２５に対応する角部２４ａが破壊されるようなことは回避される。このように、コンクリート基礎２４のアンカーボルト２５に対応する角部２４ａが破壊されるのを未然に防止できる。
【００２１】
尚、コンクリート基礎２４の上面に据付けられる建物構造体の床梁１は、図３に示す如く、コンクリート基礎２４の上面に突出しているアンカーボルト２５に挿通され、アンカーボルト２５に螺着される上ナット２７Ａによりコンクリート基礎２４に締結される。
【００２２】
しかるに、左右の対向する型枠３０、３０間で基礎２４に埋設固定されるアンカーボルト２５及び補強プレート２６のセット高さ位置を簡易に調整可能にし、かつコンクリート打設時に補強プレート２６を微妙に高さ調整可能にするための、施工用治具５０について説明する。
【００２３】
施工用治具５０は、図４〜図６に示す如く、アンカープレート６０と、アンカープレート６０に設けられる型枠調整用ねじ７０及び補強プレート調整用ねじ８０とを有する。
【００２４】
アンカープレート６０は左右の対向する型枠３０、３０の上部に保持され、アンカーボルト２５の上端部を保持する。アンカーボルト２５を取着したアンカーボルト２５の上端部をアンカープレート６０の後述する第２水平片６２に遊挿し、かつアンカーボルト２５に螺着した２個のナット６４ａ、６４ｂによりアンカープレート６０を挟み、アンカープレート６０にアンカーボルト２５を保持する。アンカープレート６０は、例えば金属板の曲げ成形体又は樹脂成形体からなり、型枠調整用ねじ７０を備える左右の第１水平片６１と、左右の第１水平片６１の間で補強プレート調整用ねじ８０を備える中央の第２水平片６２とを有し、第１水平片６１から下方に折曲げた下向き折曲げ部６３の下端に第２水平片６２を設けている。アンカープレート６０の第２水平片６２はアンカーボルト２５のためのボルト挿通孔６４（大径ボルト用孔と小径ボルト用孔の２個のボルト挿通孔６４）を備える。
【００２５】
型枠調整用ねじ７０は、アンカープレート６０の左右に第１水平片６１に螺着された蝶ねじからなり、ねじ先端を型枠３０のフランジ３１の上面に衝合し、型枠３０に対するアンカープレート６０の高さ位置を調整する。７１はロックナットである。高さ位置を調整されたアンカープレート６０は、第１水平片６１を型枠３０のフランジ３１に締結するしゃこまん９０により固定化される。
【００２６】
補強プレート調整用ねじ８０は、アンカープレート６０の中央の第２水平片６２に螺着された蝶ねじからなり、ねじ先端を補強プレート２６のボルト挿通孔６４を挟む左右の上面に衝合し、アンカープレート６０に対する補強プレート２６の高さ位置を調整する。
【００２７】
ここで、施工用治具５０は、アンカープレート６０として、シングル用のアンカープレート６０Ａ（図４）と、ダブル用のアンカープレート６０Ｂ（図５）を有する。
【００２８】
シングル用のアンカープレート６０Ａは、図４に示す如く、基礎３０の長手方向に沿う単一位置にアンカーボルト２５のためのボルト挿通孔６４（大径ボルト用孔と小径ボルト用孔の２個のボルト挿通孔６４）を第２水平片６２に備え、左右の第１水平片６１に各２個の型枠調整用ねじ７０を螺着され、第２水平片６２に左右各２個の補強プレート調整用ねじ８０を螺着される。
【００２９】
ダブル用のアンカープレート６０Ｂは、図５に示す如く、基礎３０の長手方向に沿う長尺をなし、左右の長尺第１水平片６１の間の両端２位置に互いに分離される２個の第２水平片６２を備える。２個の第２水平片６２のそれぞれにアンカーボルト２５のためのボルト挿通孔６４（大径ボルト用孔と小径ボルト用孔の２個のボルト挿通孔６４）を備え、左右の長尺第１水平片６１の両端部のそれぞれに型枠調整用ねじ７０を螺着され、各第２水平片６２に左右各２個の補強プレート調整用ねじ８０を螺着される。
【００３０】
図７、図８のユニット建物１００の各建物ユニット１０１が据付けられる基礎において、建物ユニット１０１の長手方向において、建物１００の外郭に位置するコーナー部に対応する部分に各１個のアンカーボルト２５を設けるとき、相隣り合う建物ユニット１０１のための相隣るアンカーボルト２５については、２個のシングル用のアンカープレート６０Ａを隣り合せて使用し（図７）、又は唯１個のダブル用のアンカープレート６０Ｂを使用する（図８）。７個の建物ユニット１０１からなる建物１００において、図７ではシングル用のアンカープレート６０Ａを16個使用し、図８ではシングル用のアンカープレート６０Ａを６個、ダブル用のアンカープレート６０Ｂを５個使用するものになる。
【００３１】
以下、コンクリート基礎２４の施工手順について説明する。
(1)図９に示す如く、地面２０に建物に沿わせる基礎溝２１を形成し、基礎溝２１の底部に割栗を投入して搗固て割栗層２２を形成し、割栗層２２上にコンクリートを打ったフーチング層２３を形成する。次に、このフーチング層２３上に型枠３０、３０を対向させると共に間隔を置いて配設し、この型枠３０、３０を図示しない支持部材で地面２０に支持させる。
【００３２】
(2)施工用治具５０のアンカープレート６０の左右の第１水平片６１を、該第１水平片６１に螺着されている型枠調整用ねじ７０を介して型枠３０のフランジ３１の上面に載せる。型枠調整用ねじ７０により型枠３０に対するアンカープレート６０の高さ位置を調整した後、しゃこまん９０によりアンカープレート６０の第１水平片６１を型枠３０のフランジ３１に締結する。
【００３３】
(3)アンカーボルト２５の中間部に補強プレート２６のボルト挿通穴２８を遊挿し、かつアンカーボルト２５に螺着した上下のナット２７ａ、２７ｂにより補強プレート２６を挟み、アンカーボルト２５に補強プレート２６を取着する。補強プレート２６に対するアンカーボルト２５の首出し長さを一定長さにセットする。
【００３４】
(4)補強プレート２６を取着したアンカーボルト２５の上端部をアンカープレート６０の第２水平片６２に遊挿し、かつアンカーボルト２５に螺着した２個のナット６４ａ、６４ｂによりアンカープレート６０の第２水平片６２を挟み、アンカープレート６０の第２水平片６２にアンカーボルト２５を保持させる。アンカーボルト２５のフック２５ａがコンクリート基礎２４の内部の所定位置たる厚み中央部に設定され得るように、このフック２５ａを相対する型枠３０、３０の間隔の概ね中央部にセットする。
【００３５】
(5)補強プレート２６の上下レベルを必要により調整する。アンカーボルト２５に螺着してある上下のナット２７ａ、２７ｂを緩めることにより、補強プレート２６は上下のナット２７ａ、２７ｂの間隔Ｌの範囲内で型枠３０の内側面に沿って平行移動されてレベル調整できる。このとき、アンカープレート６０の第２水平片６２に螺着されている補強プレート調整用ねじ８０によりアンカープレート６０に対する補強プレート２６の高さレベル、水平度を調整する。
【００３６】
(6)型枠３０、３０間に生コンクリート３３を図１０に示したように流し込む。この際、生コンクリート３３はアンカーボルト２５の下部が没入するまで流し込むと共に、生コンクリート３３を補強プレート２６の部分まで満たす。しかも、このときに生コンクリート３３がコンクリート確認穴２９から上方に溢れ出始めたのを確認して、この位置で生コンクリートの流し込みを停止する。このようにすることで、補強プレート２６を目安に生コンクリート３３の流し込み高さを容易に確認できる。下ナット２７ｂは補強プレート２６の下面側にて生コンクリートに埋設される。このとき、アンカープレート６０の第２水平片６２に螺着されている補強プレート調整用ねじ８０によりアンカープレート６０に対する補強プレート２６の高さレベル、水平度を再調整できる。
【００３７】
(7)生コンクリート３３を硬化した後、型枠３０、３０を取外して形成したコンクリート基礎２４の周囲に土盛りすることで、コンクリート基礎２４にアンカーボルト２５及び補強プレート２６が取付けられた基礎構造の施工が完了し、図１に示したような基礎構造が得られる。
【００３８】
本実施例によれば以下の作用効果を奏する。
(a)アンカープレート６０に設けた型枠調整用ねじ７０が型枠３０に衝合し、型枠３０に対するアンカープレート６０の高さ位置を調整する。従って、アンカープレート６０に保持されているアンカーボルト２５及び補強プレート２６のセット高さ位置を簡易に調整することができる。
【００３９】
(b)アンカープレート６０に設けた補強プレート調整用ねじ８０が補強プレート２６に衝合し、アンカープレート６０に対する補強プレート２６の高さ位置を調整する。従って、補強プレート調整用ねじ８０は、コンクリート打設時に、アンカーボルト２５に固定した補強プレート２６が生コンクリート３３の圧力によって浮き上がるのに対抗し、補強プレート２６が対向する型枠３０間で傾くことを防止したり、微妙な高さ調整することができる。
【００４０】
(c)アンカープレート６０が型枠調整用ねじ７０を備えた第１水平片６１と、補強プレート調整用ねじ８０を備えた第２水平片６２とを有し、第１水平片６１から下方に折曲げた下向き折曲げ部６３の下端に第２水平片６２を設けた。従って、アンカープレート６０の第１水平片６１が型枠調整用ねじ７０を介して型枠３０の上部に配置されたとき、第２水平片６２を型枠３０の内側下方に近づく側に配置するものになり、このアンカープレート６０を全高の高い大型の型枠３０に好適に適用にできる。
【００４１】
(d)アンカープレート６０が型枠３０の長手方向に沿う複数位置のそれぞれにアンカーボルト保持部（ボルト挿通孔６４）を備え、各アンカーボルト保持部（ボルト挿通孔６４）毎に型枠調整用ねじ７０と補強プレート調整用ねじ８０を付帯して有するようにした。従って、基礎の近接する複数位置にアンカーボルト２５を埋設固定するとき、単一のアンカープレート６０（６０Ｂ）によりそれらのアンカーボルト２５及び補強プレート２６に対応でき、アンカープレート６０の使用個数を削減し、補強工数も削減できる。
【００４２】
図１１の施工用治具５０Ａは、アンカープレート６０が型枠調整用ねじ７０を備えた第１水平片６１と、補強プレート調整用ねじ８０を備えた第２水平片６２を有するとき、第１水平片６１から上方に折曲げた上向き折曲げ部６３Ａの上端に第２水平片６２を設けたものである。
【００４３】
この施工用治具５０Ａにあっては、図１２に示す如く、アンカープレート６０の第１水平片６１が型枠調整用ねじ７０を介して型枠３０の上部に配置されたとき、第２水平片６２を型枠６０の上方に配置するものになり、このアンカープレート６０を全高の低い小型の型枠３０に好適に適用できる。
【００４４】
以上、本発明の実施例を図面により詳述したが、本発明の具体的な構成はこの実施例に限られるものではなく、本発明の要旨を逸脱しない範囲の設計の変更等があっても本発明に含まれる。
【図面の簡単な説明】
【００４５】
【図１】図１はアンカーボルト付基礎構造を示す断面図である。
【図２】図２はアンカーボルト付基礎構造を示す模式斜視図である。
【図３】図３はアンカーボルト付基礎構造に建物構造体を据付けた例を示す断面図である。
【図４】図４は施工用治具を示す平面図である。
【図５】図５は施工用治具を示す端面図である。
【図６】図６は施工用治具を示す端面図である。
【図７】図７は施工用治具をユニット建物に使用した位置を示す模式図である。
【図８】図８は施工用治具をユニット建物に使用した位置を示す模式図である。
【図９】図９は施工用治具を型枠にセットした状態を示す断面図である。
【図１０】図１０は生コンクリートの流し込み状態を示す断面図である。
【図１１】図１１は施工用治具を示す端面図である。
【図１２】図１２は施工用治具を型枠にセットした状態を示す断面図である。
【符号の説明】
【００４６】
２４  コンクリート基礎
２５  アンカーボルト
２６  補強プレート
３０  型枠
５０、５０Ａ  施工用治具
６０  アンカープレート
６１  第１水平片
６２  第２水平片
６３  下向き折曲げ部
６３Ａ  上向き折曲げ部
６４  ボルト挿通孔（アンカーボルト保持部）
８０  補強プレート調整用ねじ
【図１】
2008255724.tif 000003
【図２】
2008255724.tif 000004
【図３】
2008255724.tif 000005
【図４】
2008255724.tif 000006
【図５】
2008255724.tif 000007
【図６】
2008255724.tif 000008
【図７】
2008255724.tif 000009
【図８】
2008255724.tif 000010
【図９】
2008255724.tif 000011
【図１０】
2008255724.tif 000012
【図１１】
2008255724.tif 000013
【図１２】
2008255724.tif 000014